(57)【要約】【課題】施設内において、利用者が撮影機器を持つことなく、所望の画像を得ることができる撮影システムを提供する。【解決手段】撮影システム１０は、予め成された予約情報に基づいて、施設Ａ内において撮影を行うものである。この撮影システム１０は、予約情報の入力手段と、この予約情報に応じた撮影画像のシミュレーション画像を作成し、入力手段に送る画像作成部２２と、予約情報に基づいて撮影を行う撮影手段と、施設Ａ内における被写体の位置を検出する位置検出手段とを有する。位置検出手段により被写体の位置を検出し、この被写体が予約情報に対応する位置に存在する場合、撮影手段は予約情報に応じた撮影を行う。【選択図】図１
2004297191.tif 000002
【特許請求の範囲】
【請求項１】
予め成された予約情報に基づいて、施設内において撮影を行う撮影システムであって、
予約情報の入力手段と、
前記予約情報に応じた撮影画像のシミュレーション画像を作成し、前記入力手段に送る画像作成部と、
前記予約情報に基づいて撮影を行う撮影手段と、
前記施設内における被写体の位置を検出する位置検出手段とを有し、
前記位置検出手段により前記被写体の位置を検出し、前記被写体が前記予約情報に対応する位置に存在する場合、前記撮影手段は、前記予約情報に応じた撮影を行うことを特徴とする撮影システム。
【請求項２】
前記入力手段が、前記施設の地図の表示手段を有し、さらに、前記撮影手段の位置、撮影方向、撮影倍率、および被写体情報の少なくとも１つを入力指示する指示手段を有する請求項１に記載の撮影システム。
【請求項３】
画像表示手段を有する携帯通信端末と、前記撮影手段が撮影した画像を前記携帯通信端末に送信する送信手段とを有する請求項１または２に記載の撮影システム。
【請求項４】
前記位置検出手段は、前記施設内に入場するための入場券に設けられたＩＣタグと、前記施設内に設けられたＩＣタグセンサとにより構成される請求項１乃至３のいずれか１項に記載の撮影システム。
【請求項５】
前記撮影手段は、さらに追尾機能を有し、前記施設内において前記利用者を追尾して、前記予約情報に基づいて前記利用者を撮影する請求項１乃至４のいずれか１項に記載の撮影システム。
【発明の詳細な説明】
【０００１】
【発明の属する技術分野】
本発明は、予め成された予約情報に基づいて、施設内において撮影を行う撮影システムに関し、特に、予約情報に応じて得られる撮影画像について、事前にシミュレーション画像を作成する撮影システムに関する。
【０００２】
【従来の技術】
テーマパーク、遊園地、または動物園などの不特定多数の人々が入来場する施設に行き、写真を撮るには、自身がカメラを持参する必要がある。この場合、家族などで行くと、１人は撮影者となるため、全員の集合写真を撮ることができない。家族全員が入る集合写真を撮るためには、他人に撮ってもらうか、または三脚を持っていく必要がある。
【０００３】
一方、施設に行く人が撮影する以外にも、、例えば、特許文献１には、テーマパークなどの施設内にリモコン装置によりリモコン操作が可能なカメラ装置が複数設けられ、不特定多数の利用者がリモコン装置を用いて、これらのカメラ装置を操作して、写真を撮ることができる電子カメラシステムが開示されている。
【０００４】
特許文献１に開示された電子カメラシステムにおけるリモコン装置は、カメラ装置の撮影レンズの向き、および撮影レンズの画角を調整することができるものであり、更にカメラ装置が捉えた画像を確認するための手段が設けられたものである。
【０００５】
【特許文献１】
特開２０００−２３０１５号公報
【発明が解決しようとする課題】
【０００６】
しかしながら、施設にカメラを持参して、全員の集合写真を他人に撮ってもらう場合には、希望する写真が得られるとは限らないという問題点がある。
また、三脚を使う場合には、全員の集合写真は撮れるものの手間がかかるとともに、撮影場所も限定されてしまうという問題点がある。
【０００７】
さらに、特許文献１の電子カメラシステムは、利用者自身が操作しなければならず、利用者自身を撮ることはできるものの、時間および手間がかかるという問題点がある。特に、所望の写真を得るためには、撮影レンズの向き、または撮影レンズの画角を調整し、その都度、撮影される画像を確認しなければならず、希望する写真をとるために、更に大変な労力が必要であるという問題点がある。
【０００８】
本発明は、かかる問題点に鑑みてなされたものであり、施設内において、利用者が撮影機器を持つことなく、所望の画像を得ることができる撮影システムを提供することを目的とする。
【０００９】
【課題を解決するための手段】
前記課題を解決するために、本発明は、予め成された予約情報に基づいて、施設内において撮影を行う撮影システムであって、予約情報の入力手段と、前記予約情報に応じた撮影画像のシミュレーション画像を作成し、前記入力手段に送る画像作成部と、前記予約情報に基づいて撮影を行う撮影手段と、前記施設内における被写体の位置を検出する位置検出手段とを有し、前記位置検出手段により前記被写体の位置を検出し、前記被写体が前記予約情報に対応する位置に存在する場合、前記撮影手段は、前記予約情報に応じた撮影を行うことを特徴とする撮影システムを提供するものである。
【００１０】
本発明においては、前記入力手段が、前記施設の地図の表示手段を有し、さらに、前記撮影手段の位置、撮影方向、撮影倍率、および被写体情報の少なくとも１つを入力指示する指示手段を有することが好ましい。
【００１１】
また、本発明においては、画像表示手段を有する携帯通信端末と、前記撮影手段が撮影した画像を前記携帯通信端末に送信する送信手段とを有することが好ましい。
【００１２】
さらに、本発明において、前記位置検出手段は、前記施設内に入場するための入場券に設けられたＩＣタグと、前記施設内に設けられたＩＣタグセンサとにより構成されることが好ましい。
【００１３】
さらにまた、本発明において、前記撮影手段は、さらに追尾機能を有し、前記施設内において前記利用者を追尾して、前記予約情報に基づいて前記利用者を撮影することが好ましい。
【００１４】
【発明の実施の形態】
以下、本発明の実施例に係る撮影システムについて、添付の図面を基に詳細に説明する。
図１は本発明の実施例に係る撮影システムを示す模式図である。
【００１５】
図１に示すように、撮影システム１０は、端末（入力手段）１２と、通信ネットワーク１８と、サーバ２０と、データベース２１と、画像作成部２２と、撮影部２４ａ乃至２４ｃと、位置検出手段を構成するＩＣタグセンサ２６と、携帯通信端末４０と、チケット発券部５０とを有する。図１には、３つの撮影部２４ａ乃至２４ｃだけを図示し、残りの撮影部の図示は省略している。
サーバ２０、データベース２１、画像作成部２２、撮影部２４ａ乃至２４ｃ、ＩＣタグセンサ２６、携帯通信端末４０、およびチケット発券部５０は、施設Ａ内に設けられるものである。
【００１６】
端末１２は、通信ネットワーク１８を介してサーバ２０に接続して施設が開設しているホームページにアクセスして、予約情報を入力するとともに、シミュレーション画像を表示させるものである。この端末１２は、例えば、パーソナルコンピュータであり、入力指示部（指示手段）１４と画像表示部（表示手段）１６とを有し、通信ネットワーク１８に接続されている。この入力指示部１４は、キーボードおよびマウスなどである。画像表示部１６は、施設が開設している予約画面、および後述するシミュレーション画像が表示されるものである。この画像表示部１６には、例えば、ＣＲＴ、液晶表示装置、ＰＤＰ、または有機ＥＬディスプレイなどが用いられる。
【００１７】
サーバ２０は、端末１２から接続され、予約情報が入力され、その予約情報を利用者毎に、例えば、利用者の識別番号（ＩＤ）に対応させて個別に記憶するとともに、施設Ａ内に設けられた機器を制御するものである。
このサーバ２０は、通信ネットワーク１８を介して端末１２に接続されるとともに、データベース２１と、画像作成部２２と、撮影部２４ａ乃至２４ｃと、ＩＣタグセンサ２６と、携帯通信端末４０とに接続されている。また、サーバ２０には、携帯通信端末４０と情報の伝達を行うための送受信部（図示せず）を有する。
【００１８】
サーバ２０には、利用者が施設Ａに来場する日時、および来場する人数などの情報を入力する予約画面を有するホームページが開設されている。このホームページには、さらに施設Ａの概要、施設Ａの地図、および施設Ａの遊戯施設の説明などが示されている。また、施設Ａの地図には、撮影部２４ａ乃至２４ｃの配置位置が示されている。利用者は、端末１２を用いることにより、施設Ａ内における撮影位置を指定することができる。
このサーバ２０に記憶される予約情報には、利用者の識別番号（ＩＤ）、利用者の来場する日時、人数および人数構成、ならびに撮影位置、撮影位置におけるカメラの位置（撮影手段の位置）、カメラの向き（撮影方向）、およびカメラの撮影倍率などの撮影条件、ならびに被写体情報が含まれる。
【００１９】
本実施例における被写体情報とは、撮影される人物の性別、身長、および体型などの情報のことであり、複数の人数である場合には、各人の性別、身長、および体型などの情報も含まれる。
なお、本実施例においては、被写体の撮影位置、カメラの位置、カメラの向き、カメラの撮影倍率、および被写体情報の少なくとも１つを入力指示部１４により指示入力すればよい。
【００２０】
データベース２１は、施設Ａに関する情報およびシミュレーション画像を作成するために必要な情報が蓄積されているものである。データベース２１には、例えば、施設Ａの地図、施設Ａ内の建物または設備などの大きさ、素材、その配置位置、および建物または設備の陽のあたり方、地面の色および質感などが記憶されている。さらに、各性別における各年齢の平均的な身長、および痩せ型などの体型のデータが記憶されている。
【００２１】
画像作成部２２は、撮影位置における利用者が撮影される画像のシミュレーション画像を作成するものである。このシミュレーション画像は、サーバ２０に入力された情報に基づいて、指定された撮影位置の実写またはコンピュータグラフィックス（以下，ＣＧという）の画像を用いて作成されるものである。
【００２２】
このシミュレーション画像は、画像作成部２２からサーバ２０に出力され、サーバ２０から送信されて、通信ネットワーク１８を経て利用者の端末１２の画像表示部１６に表示されて、利用者に確認される。
利用者は、希望する画像となるまで、カメラの向き、カメラの位置または撮影倍率などの撮影条件を変更する。最終的に利用者が希望する画像となった場合、そのときのシミュレーション画像を作成するための撮影条件と、指定された撮影位置とを対応させて予約情報としてサーバ２０に記憶させる。なお、撮影位置は、１箇所に限定されるものではなく、複数箇所に撮影部２４ａ乃至２４ｃが設けられていれば、複数の箇所を指定することができる。
【００２３】
また、利用者の性別および年齢を入力することにより、入力された利用者の情報に基づいて、平均的な身長でＣＧにより作成された人物をシミュレーション画像内に再現させることができる。さらに、利用者の性別および年齢に加えて、身長および体型を入力すると、入力された情報に基づいてＣＧにより作成された人物をシミュレーション画像内に再現する。このようにして、更に精度が高いシミュレーション画像を得ることができる。
また、撮影画像の構図については、例えば、家族４人で、幼児がおり、幼児の視線の高さから、背景にお城が入るような構図のシミュレーション画像を作成することもできる。
【００２４】
撮影部２４ａ乃至２４ｃは、予約情報に基づいて撮影を行うものであり、ＩＣタグセンサ２６ａ乃至２６ｃと、カメラ（撮影手段）２８ａ乃至２８ｃと、制御部３０ａ乃至３０ｃとを有し、それぞれサーバ２０に接続されている。
ＩＣタグセンサ２６ａ乃至２６ｃは、入場券に設けられるＩＣタグとともに位置検出手段を構成するものであり、これにより、カメラ２８ａ乃至２８ｃに対する利用者の位置が検出される。この位置検出情報がサーバ２０に出力される。これにより、施設Ａ内における利用者の位置がサーバ２０によって管理できる。
【００２５】
カメラ２８ａ乃至２８ｃは、例えば、デジタルカメラであり、撮影した被写体画像の画像データをデジタル画像データとして記録することができるものである。カメラ２８ａ乃至２８ｃにより得られた画像データは、例えば、利用者の識別番号（ＩＤ）と撮影位置の位置情報とともに、サーバ２０に蓄積される。
【００２６】
制御部３０ａ乃至３０ｃは、カメラ２８ａ乃至２８ｃを予約情報に基づいて、カメラ２８ａ乃至２８ｃの高さ、およびカメラ２８ａ乃至２８ｃの向きを変えるとともに、カメラ２８ａ乃至２８ｃの撮影倍率も変えるものである。
【００２７】
ＩＣタグセンサ２６は、入場券に設けられるＩＣタグとともに位置検出手段を構成するものであり、施設Ａ内に所定の間隔で設けられている。ＩＣタグセンサ２６は、それぞれサーバ２０に接続されており、施設Ａ内における利用者の位置が検出されると、サーバ２０に位置検出情報が出力される。これにより、施設Ａ内における利用者の位置はサーバ２０によって管理できる。
【００２８】
携帯通信端末４０は、情報通信機能を有するとともに、カメラ２８ａ乃至２８ｃにより撮影された画像を表示する画像表示部（画像表示手段）４２を有する。本実施例においては、サーバ２０から撮影画像が携帯通信端末に送信されて画像表示部４２に表示される。携帯通信端末４０は、例えば、携帯電話、およびＰＤＡ（Ｐｅｒｓｏｎａｌ  Ｄｉｇｉｔａｌ  Ａｓｓｉｓｔａｎｔ）が例示される。
なお、画像表示部４２としては、例えば、液晶ディスプレイ、または有機ＥＬディスプレイなどが挙げられる。
【００２９】
チケット発券部５０は、利用者の識別番号ＩＤが記憶された、例えば、ＩＣタグが設けられた入場券を発券するものであり、予約した利用者が、予約日に来場してチケットを受け取るところである。
【００３０】
なお、本実施例においては、利用者の位置検出手段としては、ＩＣタグおよびＩＣタグセンサにより構成されるものに限定されるものではなく、例えば、ＧＰＳ（Ｇｌｏｂａｌ  Ｐｏｓｉｔｉｏｎｉｎｇ  Ｓｙｓｔｅｍ  ）を用いてもよい。また、携帯通信端末４０は、利用者が撮影画像の確認をする必要がなければ、必ずしも必要ではない。また、撮影画像を確認できる確認端末が施設Ａ内にあれば、同様に携帯通信端末４０は、必ずしも必要ではない。
【００３１】
なお、本発明において、施設Ａとは、利用者が入場券を所持することによって入場ならびに使用を許可する施設であれば、全てのものに対応するものである。この施設は、遊園地を初めとして、各種のテーマパーク、動物園、水族館、植物園、博物館、美術館、映画館、競馬場、競輪場、競艇場、オートレース場、牧場、農場、各種の記念館、史跡または旧跡または観光名所、各種の競技場、プール、スキー場、スケート場、コンサート会場、演芸場、寄席、劇場、およびイベント会場などが例示される。
また、本発明における施設Ａとは、プール、牧場、および水族館などの施設を主体とする遊園地のように、複数の施設を複合化した娯楽施設も含まれる。
【００３２】
次に、本実施例の撮影システム１０の動作について説明する。
先ず、予約するために、利用者により施設Ａのサーバ２０に開設されたホームページにアクセスされる。端末１２の画像表示部１６にホームページに設けられた予約画面（図示せず）を表示させる。
次に、この予約画面において、来場する人数、大人、子供および性別などの構成、来場する日時が入力される。これらの情報は、サーバ２０に記憶される。
【００３３】
次に、端末１２の画像表示部１６に、施設Ａの地図を表示させる。
この施設Ａの地図には、撮影部２４ａ乃至２４ｃが設置位置、施設Ａの出入り口、ジェットコースター、シアターなどの各種のアトラクション、お城または塔などの施設Ａにおける各種のシンボル的な建物、レストランなどの飲食店、スーベニアショップなどの売店、ゲームセンター、パレードなどの園内で催されるイベントの開催場所、展示場、噴水、および花畑などが示される。
【００３４】
次に、施設Ａ内において撮影する場所が指示入力される。
次に、カメラ２８ａ乃至２８ｃの位置、カメラ２８ａ乃至２８ｃの向き、およびカメラ２８ａ乃至２８ｃの撮影倍率などの撮影条件、ならびに性別、身長、および体型などの被写体情報が指示入力される。このとき、複数の人を同時に撮影するのであれば、その撮影される人達についても、撮影条件および被写体情報が指示入力されるとともに、人の配置なども合わせて指示入力される。
なお、この撮影する場所は、１箇所に限定されるものではなく、複数箇所であってもよく、この場合、各撮影位置ごとに撮影条件および被写体情報が指示入力される。
【００３５】
次に、入力された情報に基づいて、データベース２１の情報を参照して画像作成部２２で、撮影位置において撮影される画像のシミュレーション画像を作成し、端末１２の画像表示部１６に表示させる。
次に、利用者によりシミュレーション画像が確認されて、希望するものであるか判断される。このとき、満足するものであれば、そのときの撮影条件および被写体情報が、撮影位置とともに、予約情報としてサーバ２０に記憶される。利用者は、満足できるまで撮影条件を調整することができる。
【００３６】
そして、予約当日、利用者が施設Ａを訪れた際に、利用者により提示された識別番号（ＩＤ）により、チケット発券部５０でＩＣタグ付の入場券が発券されて、それを利用者が入手する。利用者は、このＩＣタグ付の入場券を入手した後、改札などの所定の手続を経て施設Ａに入る。
利用者が入場券を所持することにより、施設Ａ内における利用者の位置がＩＣタグセンサ２６により検出され、この利用者の位置はサーバ２０により管理される。
【００３７】
利用者が予約しておいた撮影位置に近づいたことが、ＩＣタグセンサ２６ａ乃至２６ｃにより検出された利用者の位置情報に基づいてサーバ２０で判定されると、サーバ２０から識別番号（ＩＤ）に基づいて、予約情報の中から撮影条件が撮影部２４ａ乃至２４ｃに出力される。
次に、制御部３０ａ乃至３０ｃによりカメラ２８ａ乃至２８ｃの位置、およびカメラ２８ａ乃至２８ｃの向き、ならびにカメラ２８ａ乃至２８ｃの撮影倍率などが調整される。
次に、利用者が予約情報に基づく撮影位置にいる場合、カメラ２８ａ乃至２８ｃによりシミュレーション画像と同じ構図で撮影される。この撮影画像は利用者の識別番号（ＩＤ）に対応付けてサーバ２０に保存される。
【００３８】
このとき、利用者が携帯通信端末４０を所持している場合、サーバ２０から携帯通信端末４０に撮影画像を送信することにより撮影画像を確認できる。また、携帯通信端末４０から、例えば、識別番号（ＩＤ）を入力することにより、サーバ２０から携帯通信端末４０に撮影画像を送信させることによっても撮影画像を確認できる。このとき、撮影画像の画素数と、携帯通信端末４０の画像表示部４２の画素数とは異なるので、携帯通信端末４０の画像表示部４２の画素数に撮影画像の画素数を合わせる処理がサーバ２０でなされる。
このように、利用者により撮影画像が携帯通信端末４０で確認できるので、施設Ａ内で休憩しているときなどで、撮影画像を手軽に確認することができる。
【００３９】
本実施例においては、施設Ａに来場するために、予約をする際に、来場する人数および人員の構成、日時が入力され、さらに施設Ａ内における撮影位置、撮影条件および被写体条件を指示入力することにより、シミュレーション画像が作成される。
そして、このシミュレーション画像が利用者の希望するものとなるまで、例えば、撮影条件を、繰り返し変更して、撮影位置、撮影条件および被写体条件を決定する。このようにして決定された撮影位置、撮影条件および被写体条件を識別番号（ＩＤ）および撮影位置に対応付けて、予約情報の一部としてサーバ２０に記憶させる。
【００４０】
これにより、利用者は、識別番号（ＩＤ）が付与されたＩＣタグ付入場券を所持することによりに、所定の撮影位置に達したときに、予約情報に基づいて、撮影部２４ａ乃至２４ｃにより、所望の画像が得られるように撮影される。このように、利用者は、カメラを所持する必要がなく、また、三脚などを用いることなく、さらには、複数人数で行った場合には、全員が写った所望の画像を得ることができる。
【００４１】
なお、本発明においては、１つの撮影位置について、１台のカメラで撮影するものとしたが、これに限定されるものではない。例えば、複数台のカメラを用いて異なる角度から撮影するようにしてもよい。
【００４２】
また、本実施例においては、撮影画像として静止画を得ているが、本発明はこれに限定されるものではなく、動画であってもよい。この場合、予約の際には、シミュレーション画像として、動画が作成される。
【００４３】
また、本実施例においては、利用者が所定の撮影位置に近づいた場合、携帯通信端末に、撮影されることが知らされるようにしてもよい。
例えば、どの撮影部により撮影されることが、サーバにより携帯通信端末に送信されて、利用者に知らされる。そして、利用者が確認したことを送信すると、サーバから撮影部に出力され、所定時間を経過した後に、撮影するようにしてもよい。この撮影するまでの時間は、利用者が、例えば、携帯通信端末により設定できるようにしてもよい。
【００４４】
このとき、利用者が撮影されることを知らされて、利用者が確認したことを、身振りまたは手振りなどのゼスチャーを用いて知らせるようにしてもよい。この場合、撮影部またはサーバに画像解析部を設け、カメラにより利用者が撮影されて、利用者の身振りまたは手振りを自動的に画像解析して、利用者が確認したか否かが判断される。
画像解析の判定結果が利用者が確認したことを示す場合には、所定時間が経過した後に、撮影される。
【００４５】
また、本実施例においては、サーバを経ずに、携帯通信端末と撮影部とで情報の授受を直接行い、撮影のタイミングを確認した後に、撮影するようにしてもよい。
【００４６】
さらに、本実施例においては、利用者に撮影位置を知らせて、撮影するようにしてもよい。この場合、撮影部に画像表示部を設けて、撮影位置を知らせるか、または携帯通信端末に撮影位置情報を出力するようにしてもよい。この場合、施設内の地面には、目印が設けられており、この目印に移動するように、撮影位置を知らせるようにしてもよい。この画像表示部は、上述の携帯通信端末の画像表示部と同様の構成のものとすることができる。
【００４７】
さらに、撮影部の画像表示部に、撮影された画像を、そのとき直ぐに表示し、確認できるようにしてもよい。また、撮影が確定する前に、この画像表示部に、撮影部が撮影している画像を表示してもよく、更には撮影部が撮影している画像を携帯通信端末に出力して、その画像を表示させるようにしてもよい。
【００４８】
また、本実施例において、予約時に作成されたシミュレーション画像と、撮影部により撮影しようとする実際の画像とを比較して一致しない場合には、シミュレーション画像と得られる画像とが一致するように、予約情報に基づく、カメラの位置、カメラの向き、または撮影倍率などの撮影条件を変更してもよい。この場合、画像の比較は、特に背景の画像を比較することが好ましい。
また、利用者については、画像解析により、人物抽出を行い、画面内に入るように広角にするか、または携帯通信端末に移動させる旨のメッセージを送信して、利用者を移動さるようにしてもよい。
【００４９】
なお、シミュレーション画像と、実際の画像とを比較して一致しているか否かを比較する方法、および画像解析による人物抽出方法には、公知の方法を用いればよい。また、画像解析による人物抽出方法には、シミュレーション画像の背景部分と、撮影画像との差分をとる方法を用いてもよい。
【００５０】
さらに、本実施例においては、入場券に発光素子を設けてもよい。これにより、利用者が撮影位置に近づくと、発光素子を発光させるようにしてもよい。これにより、利用者の識別精度を向上させることができる。この発光素子は、利用者の識別番号に基づいて点滅パターンを設定してもよい。これにより、さらに利用者の識別精度を向上させることができる。なお、発光素子としては、ＬＥＤ、ＬＤ、および有機ＥＬ素子などが挙げられる。
【００５１】
また、本実施例においては、撮影部に変えて、施設内の従業員がデジタルカメラを用いて撮影するようにしてもよい。この場合、従業員が、事前にシミュレーション画像を見て、このシミュレーション画像に近い画像が得られるように撮影する。また、従業員が撮影部を操作して、カメラの向き、カメラの位置、またはカメラの撮影倍率などを調整して撮影してもよい。
【００５２】
さらに、本実施例においては、撮影部にマニピュレータを設けて、撮影ロボットとしてもよい。そして、さらに、移動手段および追尾機能を設けて自走型の撮影ロボットとしてもよい。例えば、この自走型の撮影ロボットを、利用者に対して１台割り当てて、所定の撮影位置で撮影させることができる。なお、自走型の撮影ロボットによる利用者の追尾は、例えば、サーバにより管理された利用者の位置に基づいて行われる。
このとき、利用者の位置がＩＣタグに変えてＧＰＳにより、検出されている場合には、ＧＰＳからの信号に基づいて利用者を追尾する。
【００５３】
さらにまた、本実施例においては、シミュレーション画像を作成する場合には、撮影する日時も考慮することが好ましい。これにより、シミュレーションの精度が向上し、夜景、または夕焼けなどが綺麗に見えるアングルで撮影されるので好ましい。
【００５４】
なお、本実施例においては、入場した際に、予約した撮影を利用者により、キャンセルできるようにしてもよい。例えば、携帯通信端末によりキャンセルを指示入力するようにしてもよい。
【００５５】
【発明の効果】
以上、詳細に説明したように、本発明の撮影システムによれば、施設内において、利用者が撮影機器を持つことなく、所望の画像を得ることができる。
【図面の簡単な説明】
【図１】本発明の実施例に係る撮影システムを示す模式図である。
【符号の説明】
１０  撮影システム
１２  パーソナルコンピュータ
１４  入力指示部
１６  画像表示部
１８  通信ネットワーク
２０  サーバ
２１  データベース
２２  画像作成部
２４ａ、２４ｂ、２４ｃ  撮影部
２６、２６ａ、２６ｂ、２６ｃ  ＩＣタグセンサ
２８ａ、２８ｂ、２８ｃ  カメラ
３０ａ、３０ｂ、３０ｃ  制御部
４０  携帯通信端末
４２  画像表示部
Ａ  施設
【図１】
2004297191.tif 000003